(57)【要約】  本発明による化粧品容器は、容器本体と、上記容器本体を開閉する外蓋と、上記容器本体の内部に分離できるように結合される第１内容器と、上記第１内容器の上部を開閉する第２内容器と、上記第２内容器の上部を開閉する内蓋と、を含み、上記第１内容器、上記第２内容器及び上記内蓋は二重ヒンジ部材によってそれぞれ回転できるように結合されることを特徴とする。
2020500614.tif 000002
【特許請求の範囲】
【請求項１】
容器本体と、
前記容器本体を開閉する外蓋と、
前記容器本体の内部に分離できるように結合される第１内容器と、
前記第１内容器の上部を開閉する第２内容器と、
前記第２内容器の上部を開閉する内蓋と、を含み、
前記第２内容器及び前記内蓋は二重ヒンジ部材によって前記第１内容器に対してそれぞれ回転できるように結合され、
前記第１内容器、前記第２内容器及び前記内蓋は、前記容器本体と前記外蓋の結合により形成された内部空間に収容され、
前記第２内容器及び前記内蓋はそれぞれ異なるヒンジ軸によって回転されることを特徴とする化粧品容器。
【請求項２】
前記二重ヒンジ部材には、
前記第１内容器、前記第２内容器及び前記内蓋がそれぞれ分離できるように結合されることを特徴とする請求項１に記載の化粧品容器。
【請求項３】
前記二重ヒンジ部材は、
前記内蓋の外周面に備えられる上段ヒンジと、
前記第２内容器の外周面に備えられる中間ヒンジと、
前記上段ヒンジ及び前記中間ヒンジを連結するヒンジピンと、
前記第１内容器の外周面に備えられ、前記中間ヒンジの一領域に連結される下段ヒンジと、を含むことを特徴とする請求項１に記載の化粧品容器。
【請求項４】
前記上段ヒンジは、前記内蓋の外周面に一定の間隔で離隔されて備えられる１対の第１結合ホールを含み、
前記中間ヒンジは、前記第２内容器の外周面に備えられた固定部材、前記固定部材によって両端が支持される締結ピン、及び前記固定部材から上部に突出した第２結合ホールを含み、
前記下段ヒンジは、前記第１内容器の外周面から上部に向かって延長され、前記第２内容器の前記締結ピンに係止されるように上段が折れ曲がった曲げ部材を含むことを特徴とする請求項３に記載の化粧品容器。
【請求項５】
前記中間ヒンジは、
【数１】
2020500614.tif 000006
状を有し、上段が前記上段ヒンジの内側に位置し、下段が前記下段ヒンジの両側を取り囲むように備えられることを特徴とする請求項４に記載の化粧品容器。
【請求項６】
前記ヒンジピンは、
前記第１結合ホール及び前記第２結合ホールが一直線に配置された状態で貫通して挿入されることを特徴とする請求項４に記載の化粧品容器。
【請求項７】
前記曲げ部材は、
前記第２内容器が前記第１内容器に対して前記締結ピンを軸として１８０度回転されることによって前記締結ピンから分離されることを特徴とする請求項４に記載の化粧品容器。
【請求項８】
前記第１内容器は、
内周面の縁に沿って結合される第１固定リングをさらに含み、前記第１固定リングは上段から内側に向かって折れ曲がって延長された第１曲げ部を備えることを特徴とする請求項１に記載の化粧品容器。
【請求項９】
前記第２内容器は、
下部面から突出した第２延長リブをさらに含み、前記第２延長リブは前記第１曲げ部によって前記第１内容器の内周面と離隔された空間に挿入されて前記第１内容器の上部を密閉することを特徴とする請求項８に記載の化粧品容器。
【請求項１０】
前記第２内容器は、
内周面の縁に沿って結合される第２固定リングをさらに含み、前記第２固定リングは上段から内側に向かって折れ曲がって延長された第２曲げ部を備えることを特徴とする請求項１に記載の化粧品容器。
【請求項１１】
前記内蓋は、
下部面から突出した第１延長リブをさらに含み、前記第１延長リブは前記第２曲げ部により前記第２内容器の内周面と離隔された空間に挿入されて前記第２内容器の上部を密閉することを特徴とする請求項１０に記載の化粧品容器。
【請求項１２】
前記容器本体は、
底面が開口され、前記底面の開口された縁に沿って内側に延長された段差部をさらに含むことを特徴とする請求項１に記載の化粧品容器。
【請求項１３】
前記第１内容器は、
下部面の縁に沿って備えられたアンダーカット部をさらに含み、前記アンダーカット部は前記段差部に嵌め込まれて結合されることを特徴とする請求項１２に記載の化粧品容器。
【請求項１４】
前記第２内容器は、
前記二重ヒンジ部材が備えられた反対側の外周面の一領域に第２取っ手をさらに含むことを特徴とする請求項１に記載の化粧品容器。
【請求項１５】
前記内蓋は、
外周面の一領域に第１取っ手をさらに含み、前記第１取っ手は前記第２取っ手と重ならない位置に備えられることを特徴とする請求項１４に記載の化粧品容器。
【請求項１６】
前記第１内容器及び前記第２内容器は、
最初の化粧時に除去されるシーリング部材により上部が密閉されることを特徴とする請求項１に記載の化粧品容器。
【請求項１７】
前記容器本体の内側面の縁に沿って中容器がさらに備えられ、
前記二重ヒンジ部材は前記中容器に接触して結合されることを特徴とする請求項１に記載の化粧品容器。
【発明の詳細な説明】
【技術分野】
【０００１】
本発明は化粧品容器に関し、より詳細には、厚さを最小化してスリムな形態を有し、密閉力に優れた化粧品容器に関するものである。
【背景技術】
【０００２】
通常、化粧品は容貌を美しく変化させて肌をきれいに演出する目的で使用される。当該化粧品を利用したメイクアップは、肌の色を均一にし、欠点をカバーするために用いるベースメイクアップと、唇、目、爪など部分的に立体感を向上させるポイントメイクアップとに分かれる。
【０００３】
ベースメイクアップのための化粧品にはメイクアップベース、ファンデーション、パウダーなどが含まれ、ポイントメイクアップのための化粧品には口紅、アイライナー、マスカラなどが含まれる。
【０００４】
このように、様々な化粧品をなす各々の化粧料は異なる剤形からなってもよく、使用目的及び使用部位などに応じて異なる剤形を利用してメイクする。
【０００５】
このように化粧料の剤形によって化粧の効果が異なって表れることができるため、２つの剤形の化粧料を使用してメイクしようとする消費者のニーズがあった。しかし、通常の化粧品容器は化粧料の収容空間が１つしか備わっておらず、１つの化粧料しか収納できないため、消費者が２つの化粧料を使用したいときには２つの化粧品を別途で具備しなければならない問題がある。
【発明の概要】
【発明が解決しようとする課題】
【０００６】
本発明は、上記のような従来技術の問題点を解決するために創出されたものであり、本発明の目的は、内部に密閉が要求される剤形が入った第１内容器及び第２内容器が備えられることにより、異なる２つの内容物を容易に収納できる化粧品容器を提供することである。
【０００７】
また、本発明の目的は、第１内容器及び第２内容器が二重ヒンジ構造で結合され、第２内容器が内容物を収納するとともに第２内容器の下部に位置した第１内容器の上部を密閉するキャップとしても使用されることにより、化粧品容器の厚さを最小化することができる化粧品容器を提供することである。
【０００８】
また、本発明の目的は、第１内容器及び第２内容器の二重ヒンジ構造が分離できるように備えられることによって、それぞれに収納された内容物を個別に交替できる化粧品容器を提供することである。
【０００９】
また、本発明の目的は、第２内容器が内蓋により密閉され、第２内容器の下部に位置した第１内容器が第２内容器により効果的に密閉される化粧品容器を提供することである。
【課題を解決するための手段】
【００１０】
本発明の一実施例による化粧品容器は、容器本体と、上記容器本体を開閉する外蓋と、上記容器本体の内部に分離できるように結合される第１内容器と、上記第１内容器の上部を開閉する第２内容器と、上記第２内容器の上部を開閉する内蓋と、を含み、上記第１内容器、上記第２内容器及び上記内蓋は二重ヒンジ部材によってそれぞれ回転できるように結合されることを特徴とする。
【００１１】
具体的に、上記二重ヒンジ部材は、上記第１内容器、第２内容器及び内蓋がそれぞれ分離できるように備えられることができる。
【００１２】
具体的に、上記二重ヒンジ部材は、上記内蓋の外周面に備えられる上段ヒンジと、上記第２内容器の外周面に備えられる中間ヒンジと、上記上段ヒンジ及び中間ヒンジを連結するヒンジピンと、上記第１内容器の外周面に備えられ、上記中間ヒンジの一領域に連結される下段ヒンジと、を含んでもよい。
【００１３】
具体的に、上記上段ヒンジは、上記内蓋の外周面に一定の間隔で離隔されて備えられる１対の第１結合ホールを含み、上記中間ヒンジは、上記第２内容器の外周面に備えられた固定部材、上記固定部材によって両端が支持される締結ピン、及び上記固定部材から上部に突出した第２結合ホールを含み、上記下段ヒンジは、上記第１内容器の外周面から上部に向かって延長され、上記第２内容器の上記締結ピンに係止されるように上段が折れ曲がった曲げ部材を含んでもよい。
【００１４】
具体的に、上記中間ヒンジは
【数１】
2020500614.tif 000003
状を有し、上段が上記上段ヒンジの内側に位置し、下段が上記下段ヒンジの両側を取り囲むように備えられることができる。
【００１５】
具体的に、上記ヒンジピンは、上記第１結合ホール及び第２結合ホールが一直線に配置された状態で貫通して挿入されることができる。
【００１６】
具体的に、上記曲げ部材は、上記第２内容器が上記第１内容器に対して上記締結ピンを軸として１８０度回転されることによって上記締結ピンから分離されることができる。
【００１７】
具体的に、第１内容器は内周面の縁に沿って結合される第１固定リングをさらに含み、上記第１固定リングは上段から内側に向かって折れ曲がって延長された第１曲げ部を備えてもよい。
【００１８】
具体的に、上記第２内容器は下部面から突出した第２延長リブをさらに含み、上記第２延長リブは上記第１曲げ部によって上記第１内容器の内周面と離隔された空間に挿入されて上記第１内容器の上部を密閉することができる。
【００１９】
具体的に、上記第２内容器は内周面の縁に沿って結合される第２固定リングをさらに含み、上記第２固定リングは上段から内側に向かって折れ曲がって延長された第２曲げ部を備えることができる。
【００２０】
具体的に、上記内蓋は下部面から突出した第１延長リブをさらに含み、上記第１延長リブは上記第２曲げ部により上記第２内容器の内周面と離隔された空間に挿入されて上記第２内容器の上部を密閉することができる。
【００２１】
具体的に、上記容器本体は底面が開口され、上記底面の開口された縁に沿って内側に延長された段差部をさらに含んでもよい。
【００２２】
具体的に、上記第１内容器は下部面の縁に沿って備えられたアンダーカット部をさらに含み、上記アンダーカット部は上記段差部に嵌め込まれて結合されることができる。
【００２３】
具体的に、上記第２内容器は上記二重ヒンジ部材が備えられた反対側の外周面の一領域に第２取っ手をさらに含んでもよい。
【００２４】
具体的に、上記内蓋は外周面の一領域に第１取っ手をさらに含み、上記第１取っ手は上記第２取っ手と重ならない位置に備えられることができる。
【００２５】
具体的に、上記第１内容器及び第２内容器は最初の化粧時に除去されるシーリング部材により上部が密閉されることができる。
【発明の効果】
【００２６】
本発明による化粧品容器は、第１内容器及び第２内容器にそれぞれ異なる２つの化粧料を収納することができるため、必要な場合、２つの化粧料を使用することができるだけではなく、より容易に２つの化粧品を携帯することができる。
【００２７】
また、本発明による化粧品容器は、第１内容器及び第２内容器が二重ヒンジ構造で結合され、第２内容器が内容物を収納するとともに第２内容器の下部に位置した第１内容器の上部を密閉するキャップとしても使用されることによって、化粧品容器の厚さを最小化することができ、化粧品容器がスリムな形態を有するようになり、消費者の使い勝手が向上し、化粧品容器の携帯がより便利になることができる。
【００２８】
また、本発明による化粧品容器は、第１内容器及び第２内容器の二重ヒンジ構造が分離できるように備えられることによって、それぞれに収納された化粧料を個別に交替できるため、何れか１つだけの交替を望む消費者のニーズ（ｎｅｅｄｓ）を満たすことができる。
【００２９】
また、本発明による化粧品容器は、第２内容器が内蓋により密閉され、第２内容器の下部に位置した第１内容器が第２内容器により効果的に密閉されることができるため、内容物の油分と水分が揮発または蒸発することを防止することができる。
【図面の簡単な説明】
【００３０】
【図１】本発明による化粧品容器を示す結合斜視図である。
【図２】本発明による化粧品容器を示す分解斜視図である。
【図３】本発明による化粧品容器の外蓋が開いた状態を示す斜視図である。
【図４】本発明による化粧品容器の二重ヒンジ部材が分離された状態を示す斜視図である。
【図５】本発明による化粧品容器の外蓋及び内蓋が開いた状態を示す斜視図である。
【図６】図５において第２内容器が開かれる状態を示す斜視図である。
【図７】図６において第２内容器が完全に開いた状態を示す斜視図である。
【図８】本発明による化粧品容器の第１内容器から第２内容器が分離された状態を示す正面図である。
【図９】（ａ）及び（ｂ）は、本発明による化粧品容器の内蓋及び第２内容器が第１内容器から１８０度回転されて第１内容器から分離される過程を示す斜視図である。
【図１０】本発明による化粧品容器の第１取っ手部及び第２取っ手部を示す斜視図である。
【発明を実施するための形態】
【００３１】
本発明の目的、特定の利点及び新規な特徴は、添付の図面と関連する以下の詳細な説明と好ましい実施例により更に明らかになるだろう。本明細書では、各図面の構成要素に参照番号を付加することにおいて、同じ構成要素に限り、たとえ他の図面上に表示されていても可能な限り同じ番号を付したことに留意すべきである。また、本発明を説明することにおいて、関連する公知技術に対する具体的な説明が本発明の要旨を不要に不明確にすると判断される場合、その詳細な説明を省略する。
【００３２】
以下、添付の図面を参照して本発明の好ましい実施例を詳細に説明する。
【００３３】
図１は本発明による化粧品容器を示す結合斜視図であり、図２は本発明による化粧品容器を示す分解斜視図である。
【００３４】
図１及び図２を参照すると、本発明による化粧品容器１００は、容器本体１０、外蓋２０、第１内容器９０、第１固定リング８０、第２内容器７０、第２固定リング５０、及び内蓋４０を含んでもよい。当該化粧品容器１００は円形からなってもよい。但し、化粧品容器１００は円形に限定されず、その他の様々な形態にデザインできることは言うまでもない。
【００３５】
容器本体１０は側面と底面からなるが、底面の一部が開口されてもよい。また、外蓋２０は容器本体１０の一領域が連結されて開閉操作されてもよい。当該外蓋２０は容器本体１０と対向する内面に鏡２２が付着されてもよい。また、外蓋２０は一側が容器本体１０にヒンジ結合され、ヒンジ結合された領域を軸として容器本体１０に対して他側が開閉操作できるように構成されてもよい。
【００３６】
また、容器本体１０と外蓋２０がヒンジ結合される領域と対向する容器本体１０には押さえ部材１２が備えられてもよく、押さえ部材１２の上部にフック状の係止突起１３が延長されてもよい。当該押さえ部材１２は外蓋２０の開放操作をするボタンであってもよい。また、フック状の係止突起１３と対応する外蓋２０の内側面には係止溝２１が形成されてもよい。
【００３７】
また、容器本体１０の内側面の縁に沿って中容器３０がさらに形成されてもよい。当該中容器３０は容器本体１０の内側面と離隔された側面と、側面から容器本体１０の内側面に向かって延長される上部面とを含んでもよい。また、図示されてはいないが、中容器３０には、第１取っ手部４２と水平線上に位置したとき指が入りやすくする曲面溝部が備えられており、使用上の利便性を向上させることができる。これにより、容器本体１０と中容器３０は一定の間隔で離隔された状態で結合されることができる。
【００３８】
押さえ部材１２は、中容器３０に形成された挿入溝３３に装着されて、係止突起１３が中容器３０の上部に突出することができる。そして、使用者の押す動作によって押さえ部材１２の上部に延長形成されたフック状の係止突起１３が容易に後退し、外蓋２０の係止溝２１から離脱することができる。これにより、外蓋２０が容器本体１０から開放されることができる。
【００３９】
また、容器本体１０の内部空間、即ち、中容器３０の内側には第１内容器９０が容器本体１０から分離できるように結合されることができる。当該第１内容器９０は、第２内容器７０及び内蓋４０と二重ヒンジ部材４８によってそれぞれ回転できるように結合されてもよく、二重ヒンジ部材４８は中容器３０の固定溝３１に挿入されて固定されることができ、固定溝３１から分離される場合、二重ヒンジ部材４８は、第１内容器９０、第２内容器７０、及び内蓋４０がそれぞれ分離できるように備えられてもよい。
【００４０】
このように、本発明による化粧品容器１００は、内部に２つの化粧料を収容することができるように第１内容器９０及び第２内容器７０を備えることができ、第２内容器７０は第１内容器９０の上部を開閉させ、内蓋４０は第２内容器７０の上部を開閉させることができる。このとき、第１内容器９０、第２内容器７０及び内蓋４０が二重ヒンジ部材４８によって回転できるように結合されることにより、第２内容器７０が内蓋４０と結合された構造になり、全体的な厚さがよりスリムに維持されることができる。
【００４１】
まず、第１内容器９０は、中容器３０の内側において容器本体１０の開口された底面に下部が露出されるように結合されてもよい。このとき、第１内容器９０は、下部面の外側縁に沿ってアンダーカット部９２を含んでもよい。当該アンダーカット部６３は、容器本体１０の底面の開口された領域と中容器３０の内側面により形成される段差部３４に装着されることができる。
【００４２】
このように、アンダーカット部９２が段差部３４に装着されながら第１内容器９０は容器本体１０に嵌め込まれて結合されることができる。即ち、第１内容器９０と容器本体１０は、外力によって互いに分離できるように結合され、外力を加えない場合、任意的な離脱が防止される状態で結合されることができる。このように、本発明による化粧品容器１００は、容器本体１０と第１内容器９０との結合がより簡単な構造からなることができる。
【００４３】
当該第１内容器９０は外周面の一領域に下段ヒンジ９４を含んでもよく、下段ヒンジ９４の上段には第１内容器９０の外側に向かって折れ曲がった曲げ部材９３が備えられてもよい。そして、第１内容器９０の内側縁に沿って第１固定リング８０がさらに備えられてもよく、当該第１固定リング８０は第１曲げ部８１を含んでもよく、第１曲げ部８１は第１固定リング８０の上段縁に沿って内側に向かって折れ曲がった領域であってもよい。
【００４４】
第１内容器９０の内側の第１空間部９１には第１化粧料が含浸された第１含浸部材８５が収納されてもよいが、第１曲げ部８１は第１含浸部材８５が第１内容器９０から離脱しないようにすることができる。
【００４５】
また、第１内容器９０の上部には第２内容器７０が備えられてもよい。当該第２内容器７０は下部面の縁から第１内容器９０に向かって突出した第２延長リブ７２を含んでもよい。第２延長リブ７２は第１内容器９０の内周面と第１固定リング８０の第１曲げ部８１との離隔された空間に嵌め込まれ、第１内容器９０の上部を密閉させることができる。
【００４６】
また、第２内容器７０は外周面の一領域に
【数２】
2020500614.tif 000004
状の中間ヒンジ７３を含んでもよく、中間ヒンジ７３には固定部材７３ａ、締結ピン７３ｂ及び第２結合ホール７３ｃが備えられてもよい。当該中間ヒンジ７３の上段は後述する上段ヒンジ４３の内側に位置し、中間ヒンジ７３の下段は下段ヒンジ９４の両側を取り囲むように備えられてもよい。そして、中間ヒンジ７３と対向する側の第２内容器７０の外周面には第２取っ手部７４が備えられてもよい。
【００４７】
また、第２内容器７０の内側縁に沿って第２固定リング５０が備えられてもよく、当該第２固定リング５０は第２曲げ部５１を含んでもよく、第２曲げ部５１は第２固定リング５０の上段縁に沿って内側に向かって折れ曲がった領域であってもよい。
【００４８】
第２内容器７０の内側の第２空間部７１には第２化粧料が含浸された第２含浸部材６０が収納されてもよいが、第２曲げ部５１は第２含浸部材６０が第２内容器７０から離脱しないようにすることができる。このように、第２内容器７０は第１内容器９０の蓋であるとともに第２化粧料が含浸された第２含浸部材６０を収納することができる。
【００４９】
ここで、第１内容器９０及び第２内容器７０は、最初の化粧時に除去されるシーリング部材９５により上部が密閉されてもよい。
【００５０】
そして、本発明の化粧品容器１００は、第２内容器７０の上部に内蓋４０をさらに含んでもよい。内蓋４０は上部面にパフ部材４６（図３参照）を収容するパフ収容部４１が備えられ、下部に位置した第２内容器７０の上部をカバーすることができる。
【００５１】
当該内蓋４０は下部面の縁から第２内容器７０に向かって突出した第１延長リブ４５を含んでもよい。第１延長リブ４５は第２内容器７０の内周面と第２固定リング５０の第２曲げ部５１との離隔された空間に嵌め込まれ、第２内容器７０の上部を密閉させることができる。
【００５２】
また、内蓋４０の外周面の一領域には上段ヒンジ４３をさらに含んでもよく、上段ヒンジ４３は一定の間隔で離隔された一対の第１結合ホール４３ａであってもよい。当該上段ヒンジ４３は中間ヒンジ７３の上段の両側に位置することができる。
【００５３】
また、二重ヒンジ部材４８は上段ヒンジ４３及び中間ヒンジ７３を連結するヒンジピン４４をさらに含んでもよい。そして、上段ヒンジ４３と対向する内蓋４０の外周面の他の領域には第１取っ手部４２が備えられてもよい。
【００５４】
また、内蓋４０が開閉される方向は、容器本体１０と外蓋２０がヒンジ結合されて開閉される方向と直交するように形成されてもよい。これにより、内蓋４０を開閉する際の外蓋２０との干渉を防止することができる。
【００５５】
このように、上段ヒンジ４３、中間ヒンジ７３、下段ヒンジ９４及びヒンジピン４４を含む二重ヒンジ部材４８は、第１内容器９０、第２内容器７０及び内蓋４０がそれぞれ分離できるように備えられることができる。これにより、第１内容器９０と第２内容器７０の化粧料のリフィールが必要な場合、それぞれ別途に容易に交替することができる。
【００５６】
ここで、第１内容器９０と第２内容器７０は、締結ピン７３ｂを軸として１８０度回転されることにより相互分離されることができる。これに対しては、後で図８〜図９（ｂ）を参照して詳細に説明する。
【００５７】
本発明による化粧品容器１００において第１内容器９０及び第２内容器７０にそれぞれ収納された内容物は、メイクアップのための２つの異なる化粧料であってもよい。例えば、高硬度のバーム剤形と低粘度のリクイド剤形のように互いに異なる剤形を使用する場合、自然に混ざらず異質感を与える可能性があり、化粧の効果を最大化できないことがある。このとき、消費者によって剤形の粘度は類似するが、カバー力や剤形特性が異なる２つの内容物を使用すると、自然でありながら低粘度剤形の特徴を生かして密着力のある化粧が可能である。このように類似する粘度でありながらもカバー力や特徴の異なる剤形を混ぜて使用すると、自然で密着力のある化粧効果を出すことができる。
【００５８】
また、第１内容器９０及び第２内容器７０に異なる剤形の化粧料が収納されること以外にも、２つ以上の化粧料が一緒に必要な場合がある。
【００５９】
さらに、第１内容器９０及び第２内容器７０が両方とも密閉構造を備えているため、含浸部材を含まない低粘度の剤形も担持することができ、例えば、低粘度の剤形を入れて上部に布や軟質プレートを当てるなどの様々な応用例が可能である。
【００６０】
図３は本発明による化粧品容器において外蓋が開いた状態を示す斜視図であり、図４は本発明による化粧品容器の二重ヒンジ部材が分離された状態を示す斜視図である。
【００６１】
図３及び図４を参照すると、本発明の化粧品容器１００の二重ヒンジ部材４８は、内蓋４０、第２内容器７０、及び第１内容器９０を回転できるように結合させることができ、必要に応じてそれぞれ分離することができる。
【００６２】
当該二重ヒンジ部材４８は、内蓋４０の外周面の一領域に備えられる上段ヒンジ４３と、第２内容器７０の外周面の一領域に備えられる中間ヒンジ７３と、上段ヒンジ４３と中間ヒンジ７３を連結するヒンジピン４４と、第１内容器９０の外周面の一領域に備えられる下段ヒンジ９４と、を含んでもよい。
【００６３】
上段ヒンジ４３は、内蓋４０の外周面に一定の間隔で離隔されて備えられる１対の第１結合ホール４３ａを含んでもよい。そして、中間ヒンジ７３は全体的に
【数３】
2020500614.tif 000005
状であり、第２内容器７０の外周面に固定された固定部材７３ａと、固定部材７３ａによって両端が支持される締結ピン７３ｂと、固定部材７３ａから上部に突出した第２結合ホール７３ｃと、を含んでもよい。また、下段ヒンジ９４は第１内容器９０の外周面から上部に向かって延長され、上段が折れ曲がった曲げ部材９３を含んでもよい。
【００６４】
このとき、上段ヒンジ４３の１対の第１結合ホール４３ａの間に中間ヒンジ７３の上段に位置した第２結合ホール７３ｃが一直線に配置された状態でヒンジピン４４が第１結合ホール４３ａ及び第２結合ホール７３ｃを貫通して挿入されることができる。これにより、第２内容器７０と内蓋４０が回転できるようにヒンジ結合されることができる。また、下段ヒンジ９４の曲げ部材９３が第２内容器７０の締結ピン７３ｂに係止されて第１内容器９０が第２内容器７０に回転できるようにヒンジ結合されることができる。
【００６５】
このように、第１内容器９０、第２内容器７０及び内蓋４０は二重ヒンジ部材４８によって１セットで構成されながらも、第２内容器７０及び内蓋４０がそれぞれ第１内容器９０及び第２内容器７０に対して個別に回転できるように構成されることができる。
【００６６】
図５は本発明による化粧品容器の外蓋及び内蓋が開いた状態を示す斜視図であり、図６は図５において第２内容器が開かれる状態を示す斜視図であり、図７は図６において第２内容器が完全に開いた状態を示す斜視図である。
【００６７】
まず、図５を参照すると、本発明による化粧品容器１００において外蓋２０及び内蓋４０が開放されると、第２内容器７０の上部が外部に露出されることができる。このとき、第２内容器７０の第２空間部７１には第２化粧料が含浸された第２含浸部材６０が収納されることができる。
【００６８】
また、第２内容器７０の内周面の縁に沿って第２固定リング５０が嵌め込まれ、第２固定リング５０の上段縁に沿って内側に折れ曲がって延長された第２曲げ部５１によって第２含浸部材６０が第２空間部７１から離脱しないことができる。
【００６９】
このように、第２内容器７０に収納された第２化粧料を利用する場合、外蓋２０及び内蓋４０を開放し、パフ部材４６を用いて上部に露出された第２含浸部材６０を加圧することにより、第２化粧料を使用することができる。
【００７０】
このとき、第２内容器７０の下部面の縁に沿って第２延長リブ７２が突出しており、当該第２延長リブ７２は、第１内容器９０の内周面と第１固定リング８０の第１曲げ部８１との離隔された空間に挿入されて第１内容器９０の上部を密閉させることができる。
【００７１】
また、図６及び図７を参照すると、本発明による化粧品容器１００において外蓋２０及び内蓋４０が開放された状態でさらに第２内容器７０が開放されると、第１内容器９０の上部が外部に露出されることができる。このとき、第１内容器９０の第１空間部９１には第１化粧料が含浸された第１含浸部材８５が収納されることができる。
【００７２】
当該第１内容器９０の内周面の縁に沿って第１固定リング８０が嵌め込まれ、第１固定リング８０の上段縁に沿って内側に折れ曲がって延長された第１曲げ部８１によって第１含浸部材８５が第１空間部９１から離脱しないことができる。
【００７３】
このように、第１内容器９０に収納された第１化粧料を利用する場合、外蓋２０、内蓋４０及び第２内容器７０を開放し、パフ部材４６を用いて上部に露出された第１含浸部材８５を加圧することにより、第１化粧料を使用することができる。
【００７４】
このとき、第２内容器７０の上部面が内蓋４０の下部面に重なりながら第２内容器７０の上部が密閉されることができる。即ち、内蓋４０の下部面の縁に沿って第１延長リブ４５が突出しており、当該第１延長リブ４５は第２内容器７０の内周面と第２固定リング５０の第２曲げ部５１との離隔された空間に挿入されて第２内容器７０の上部を密閉させることができる。
【００７５】
このように、内蓋４０の下部面に第２内容器７０の上部を密閉するための第１延長リブ４５が突出しており、第２内容器７０の下部面に第１内容器９０の上部を密閉するための第２延長リブ７２が突出しているため、第１内容器９０及び第２内容器７０の内部に収納されたそれぞれの化粧料は、使用しない場合、空気との接触が遮断されて化粧料の変質を防止することができる。
【００７６】
図８は本発明による化粧品容器の第１内容器から第２内容器が分離された状態を示す正面図であり、図９ａ及び９ｂは本発明による化粧品容器の内蓋及び第２内容器が第１内容器から１８０度回転されて第１内容器から分離される過程を示す斜視図である。
【００７７】
図８〜図９（ｂ）を参照すると、本発明による二重ヒンジ部材４８は、内蓋４０、第２内容器７０及び第１内容器９０を１つのセットに結合しながら、それぞれが回転できるようにするだけではなく、それぞれ分離できるようにすることもできる。
【００７８】
内蓋４０と第２内容器７０は、ヒンジピン４４が上段ヒンジ４３の第１結合ホール４３ａ及び中間ヒンジ７３の第２結合ホール７３ｃを同時に貫通して挿入されることによって結合され、ヒンジピン４４を除去することによって分離することができる。
【００７９】
また、第１内容器９０及び第２内容器７０は、下段ヒンジ９４の上段に備えられた曲げ部材９３が中間ヒンジ７３の締結ピン７３ｂを一部取り囲みながら結合されることができる。このとき、下段ヒンジ９４は、第２内容器７０の外周面と接するように中間ヒンジ７３の締結ピン７３ｂに向かって延長されてもよく、下段ヒンジ９４の上段に位置した曲げ部材９３が第２内容器７０の外周面の外側に向かって折れ曲がって締結ピン７３ｂを取り囲んでもよい。このように曲げ部材９３が締結ピン７３ｂに係止されることによって第１内容器９０及び第２内容器７０が結合された状態を維持することができる。
【００８０】
また、第１内容器９０と第２内容器７０を分離する場合、図９（ａ）及び図９（ｂ）に示したように、第２内容器７０の下部面が第１内容器９０の上部を密閉する状態から第２内容器７０を締結ピン７３ｂを軸として１８０度回転させることによって曲げ部材９３が締結ピン７３ｂから分離されることができる。
【００８１】
このように、第１内容器９０または第２内容器７０の内部に収納された化粧料を使い切った場合、必要に応じて、第１内容器９０または第２内容器７０をそれぞれ分離して交替することができる。
【００８２】
図１０は、本発明による化粧品容器の第１取っ手部及び第２取っ手部を示す斜視図である。
【００８３】
図１０を参照すると、内蓋４０、第２内容器７０及び第１内容器９０は二重ヒンジ部材４８によって回転できるように結合されることができる。このとき、内蓋４０は、二重ヒンジ部材４８が備えられた反対側の外周面の一領域に第１取っ手部４２をさらに含んでもよい。当該第１取っ手部４２は、第２内容器７０に収納された化粧料を使用するか、第２内容器７０の上部を密閉するために内蓋４０を手動で開閉するための手段であってもよい。
【００８４】
また、第２内容器７０は、二重ヒンジ部材４８が備えられた反対側の外周面の一領域に第２取っ手部７４をさらに含んでもよい。当該第２取っ手部７４は、第１内容器９０に収納された化粧料を使用するか、第１内容器９０の上部を密閉するために第２内容器７０を手動で開閉するための手段であってもよい。
【００８５】
このとき、内蓋４０または第２内容器７０の開閉をより容易にするために、第１取っ手部４２と第２取っ手部７４は重ならない位置に備えられることができる。即ち、第１取っ手部４２と第２取っ手部７４はそれぞれ二重ヒンジ部材４８と異なる角度をなしており、使用者が望む化粧料を容易に使用することができる。
【００８６】
このように、本発明による化粧品容器１００は、容器本体１０の押さえ部材１２の操作により外蓋２０及び内蓋４０を順に開放し、使用しようとする化粧料の収納された第１内容器９０または第２内容器７０が上部に露出されるようにしてパフ部材４６に化粧料をつけて化粧することができる。
【００８７】
このとき、第１内容器９０に収納された化粧料を利用した化粧が完了すると、第２内容器７０を閉めることにより第１内容器９０の上部を密閉させることができる。また、第２内容器７０に収納された化粧料を利用した化粧が完了すると、内蓋４０を閉めることにより第２内容器７０の上部を密閉させることができる。
【００８８】
さらに、第１内容器９０または第２内容器７０の化粧料を使い切った場合、第１内容器９０の下部面を上部方向に押し出して容器本体１０から強制的に分離することができる。それから、二重ヒンジ部材４８を分離して必要な化粧料を交替した後、再び二重ヒンジ部材４８を組み立て第１内容器９０を容器本体１０に嵌め込んで使用することができる。このように、必要に応じて、第１内容器９０または第２内容器７０を交替し、残りの化粧品容器を半永久的に使用することができるため、化粧品容器１００の購入費用を最小化することができる経済的なメリットがある。
【００８９】
以上、本発明を具体的な実施例を通じて詳細に説明したが、これは本発明を具体的に説明するためのものであり、本発明はこれに限定されず、本発明の技術的思想内で当該分野の通常の知識を有する者によってその変形や改良が可能であることは明らかである。
【００９０】
本発明の単純な変形ないし変更は全て本発明の範囲に属し、本発明の具体的な保護範囲は添付の特許請求の範囲により明確になるであろう。
【符号の説明】
【００９１】
１０  容器本体
１２  押さえ部材
１３  係止突起
２０  外蓋
２１  係止溝
２２  鏡
３０  中容器
３１  固定溝
３３  挿入溝
３４  段差部
４０  内蓋
４１  パフ収容部
４２  第１取っ手部
４３  上段ヒンジ
４３ａ  第１結合ホール
４４  ヒンジピン
４５  第１延長リブ
５０  第２固定リング
５１  第２曲げ部
６０  第２含浸部材
７０  第２内容器
７１  第２空間部
７２  第２延長リブ
７３  中間ヒンジ
７３ａ  固定部材
７３ｂ  締結ピン
７３ｃ  第２結合ホール
７４  第２取っ手部
８０  第１固定リング
８１  第１曲げ部
８５  第１含浸部材
９０  第１内容器
９１  第１空間部
９２  アンダーカット部
９３  曲げ部材
９４  下段ヒンジ
９５  シーリング部材
１００  化粧品容器
【図１】
2020500614.tif 000007
【図２】
2020500614.tif 000008
【図３】
2020500614.tif 000009
【図４】
2020500614.tif 000010
【図５】
2020500614.tif 000011
【図６】
2020500614.tif 000012
【図７】
2020500614.tif 000013
【図８】
2020500614.tif 000014
【図９（ａ）】
2020500614.tif 000015
【図９（ｂ）】
2020500614.tif 000016
【図１０】
2020500614.tif 000017
【国際調査報告】
2020500614.tif 000018
2020500614.tif 000019
2020500614.tif 000020
2020500614.tif 000021